(57)【要約】【課題】掃除機本体、家具などに傷を付けることがない電気掃除機を提供する。【解決手段】側面に吸気口（図示せず）を備えた略筒状の集塵タンク２２と、前記集塵タンク２２の上方に着脱自在に取り付けられると共に、前記集塵タンク２２内に臨む吸込開口３７を備え、電動送風機３６を内蔵した本体ユニット２１と、前記集塵タンク２２の底面に配設された略筒状の車輪ベース本体４３を備え、前記車輪ベース本体４３の下面に走行手段として複数の回転自在のキャスター４４を配置したもので、廉価な構成で、電気掃除機を引き回す時の家具などへの引っ掛けや掃除機本体、家具などへの傷付を防止することができる。【選択図】図３
2020010791.tif 000002
【特許請求の範囲】
【請求項１】
側面に吸気口を備えた略筒状の集塵タンクと、前記集塵タンクの上方に着脱自在に取り付けられると共に、前記集塵タンク内に臨む吸込開口を備え、電動送風機を内蔵した本体ユニットと、前記集塵タンクの底面に配設された略筒状の車輪ベース本体を備え、前記車輪ベース本体の下面に走行手段として複数の回転自在のキャスターを配置したことを特徴とする電気掃除機。
【請求項２】
回転自在のキャスターのキャスターローラーの端部が車輪ベース本体の外周面より内側に位置するよう設けた請求項１に記載の電気掃除機。
【発明の詳細な説明】
【技術分野】
【０００１】
本発明は、一般家庭で使用される電気掃除機に関するものである。
【背景技術】
【０００２】
従来のこの種の電気掃除機として図５に示されるようなものがあった（例えば、特許文献１参照）。
【０００３】
図５は、上記特許文献１に記載された従来の電気掃除機の要部断面図である。同図において、従来の電気掃除機は、筒型の集塵タンク１の前方に吸入口２を有しており、集塵タンク１の上方には、筒型の掃除機本体３が配置され、掃除機本体３には、電動送風機４とコードリール５が配置され、掃除機本体３の上方には、掃除機本体３の持ち運び用のハンドル（図示せず）が設けられている。
【０００４】
筒型の集塵タンク１の下方には、前記集塵タンク１を載置する略正方形のキャスター台６が配され、前記キャスター台６の底面の前方には、前輪キャスター７が、後方の左右には走行用ローラー８がそれぞれ走行手段として取り付けられているのが一般的であった。
【先行技術文献】
【特許文献】
【０００５】
【特許文献１】特開平６―２６９３８４号公報
【発明の概要】
【発明が解決しようとする課題】
【０００６】
しかしながら、上記特許文献１に記載されたような従来の電気掃除機の略正方形のキャスター台６の構成では、電気掃除機を引きまわした時に、略正方形のキャスター台６の角部が、家具などに引っ掛ることがある。そのような引っ掛りが発生した場合、使用者が例えばホースを思い切り力ずくで引っ張って掃除機本体３を障害物から離脱させるか、或いは引っ掛っている掃除機本体３のそばまで行って、手や足で掃除機本体３を移動させて引っ掛りの原因となっている障害物から離脱させることがある。
【０００７】
使用者にとって前述したような引っ掛り状態を解除する煩わしさは、通常の掃除機本体３の引き回しでの疲労感（使勝手の悪さ）と共に解消されることが望まれているものである。
【０００８】
また、略正方形のキャスター台６の角部が、家具などにぶっかったとき、家具、キャスター台６を傷付けるという課題もあった。
【０００９】
本発明は、上記従来の課題を解決するものであって、電気掃除機を引き回す時の、家具などへの引っ掛けを抑制すると共に、掃除機本体、家具などに傷付けることなく掃除機本体を軽々引き回し出来る、軽労働の使い勝手のよい電気掃除機を提供することを目的とする。
【課題を解決するための手段】
【００１０】
上記従来の課題を解決するために、本発明の電気掃除機は、側面に吸気口を備えた略筒状の集塵タンクと、前記集塵タンクの上方に着脱自在に取り付けられると共に、前記集塵タンク内に臨む吸込開口を備え、電動送風機を内蔵した本体ユニットと、前記集塵タンクの底面に配設された略筒状の車輪ベース本体を備え、前記車輪ベース本体の下面に走行手
段として複数の回転自在のキャスターを配置したもので、廉価な構成で、電気掃除機を引き回す時の家具などへの引っ掛かりを抑制すると共に、掃除機本体、家具などの傷付を防止することができる。
【発明の効果】
【００１１】
本発明は、集塵タンクの底面に略筒状の車輪ベース本体を配設し、この車輪ベース本体の下面に走行手段として複数の回転自在のキャスターを配設することより、電気掃除機を引き回す時の、家具などへの引っ掛かりを抑制すると共に、掃除機本体、家具などを傷付けることなく掃除機本体を軽々引き回し出来る軽労働の使い勝手のよい電気掃除機を提供することができる。
【図面の簡単な説明】
【００１２】
【図１】本発明の実施の形態１における電気掃除機の全体斜視図
【図２】同電気掃除機の後方からの外観を示す斜視図
【図３】同電気掃除機の正面断面図
【図４】同電気掃除機のキャスター取り付け部の断面図
【図５】従来の電気掃除機の要部断面図
【発明を実施するための形態】
【００１３】
第１の発明は、側面に吸気口を備えた略筒状の集塵タンクと、前記集塵タンクの上方に着脱自在に取り付けられると共に、前記集塵タンク内に臨む吸込開口を備え、電動送風機を内蔵した本体ユニットと、前記集塵タンクの底面に配設された略筒状の車輪ベース本体を備え、前記車輪ベース本体の下面に走行手段として複数の回転自在のキャスターを配置したもので、廉価な構成で、電気掃除機を引き回す時の家具などへの引っ掛かりを抑制すると共に、掃除機本体、家具などの傷付を防止することができる。
【００１４】
第２の発明は、特に、第１の発明の回転自在のキャスターのキャスターローラーの端部が車輪ベース本体の外周面より内側に位置するよう設けたもので、キャスターローラーの端部が家具や壁に当たることがないので、キャスターローラーの傷、破損を抑制することができる。  以下、本発明の実施の形態について、図面を参照しながら説明する。なお、この実施の形態によって本発明が限定されるものではない。
【００１５】
（実施の形態１）
図１は、本発明の実施の形態１における電気掃除機の全体斜視図、図２は、同電気掃除機の後方からの外観を示す斜視図、図３は、同電気掃除機の正面断面図、図４は、同電気掃除機のキャスター取り付け部の断面図である。
【００１６】
図１〜４において、本実施の形態における電気掃除機の掃除機本体２０は、略筒状の本体ユニット２１と、金属製の略筒状の集塵タンク２２を備え、この集塵タンク２２の前方に設けた吸気口２３に接続されるホース２４と、ホース２４の先端に設けられた接続パイプ２５と、接続パイプ２５に接続される延長管２６と、延長管２６の先端に設けられ塵埃を吸引する開口部（図示せず）を有する吸込具２７から構成されている。
【００１７】
金属製の集塵タンク２２内には、塵埃を捕集する集塵袋２８を有し、塵埃を集塵する集塵容器２９が内蔵されている。略筒状の本体ユニット２１と、略筒状の集塵タンク２２は、クランプ３０を解除することにより、着脱自体に係止される構成となっている。
【００１８】
本体ユニット２１は、本体ケース下３１と、本体ケース上３２で形成され、本体ケース上３２の上面の中央部に、掃除機本体２０の運搬用にハンドル３３が具備されている。
【００１９】
本体ユニット２１は、ハンドル３３を介して、左右対称に電動送風機収納室３４とコードリール収納室３５とから構成され、電動送風機収納室３４の下方には、集塵袋２８を通過した空気中の細かな塵埃を濾化し、電動送風機収納室３４に塵埃が侵入することを防止するフィルター３５ａが配置されている。フィルター３５ａの上方には、電動送風機３６と集塵タンク２２を連通する吸込開口３７が設けられている。
【００２０】
コードリール収納室３５と、電動送風機収納室３４は、縦置きに配置されており、電動送風機収納室３４には、電動送風機３６が配設されている。
【００２１】
コードリール収納室３５には、コードリール３８を備えたコード巻取り装置３９が縦置きに配置した状態で収納されており、前記本体ケース上３２上面に形成されたコードリールボタン４０を操作することにより、電源コード４１が巻き取られるようになっている。本体ケース上３２の側面には、電源コード４１の出し入れをするコード巻取口４２が形成されている。
【００２２】
前記略筒状の集塵タンク２２の下方には、集塵タンク２２を載置する略筒状の車輪ベース本体４３が配置され、車輪ベース本体４３の底面には、複数のキャスター４４が配設され、各キャスター４４は、キャスターローラー４５と、キャスターローラー４５を回転自在に軸支するキャスターカバー４６で構成されている。
【００２３】
キャスター４４は、車輪ベース本体４３から、抜け止め用の爪部４７を有する支軸４８に回転自在に嵌合軸支されている。
【００２４】
次に本実施の形態における電気掃除機の動作、作用について以下に述べる。
【００２５】
電動送風機３６を駆動すると、吸気口２３に接続したホース２４から吸い込まれた空気中の塵埃が集塵タンク２２に蓄積されるとともに、集塵袋２８を通過した微細な塵埃は、電動送風機収納室３４の前方に配設されたフィルター３５ａにより濾化され、電動送風機収納室３４へ導かれ、電動送風機３６から排出された空気は、本体ユニット２１に形成された排気口４９より排出される。
【００２６】
以上のように構成された本実施の形態における電気掃除機においては、集塵タンク２２を載置する車輪ベース本体４３が略筒状となっているので、掃除機本体２０の引き回し時、略筒状の形状にて、家具、凹凸物に掃除機本体２０が引っ掛ることを抑制することができる。仮に引っ掛りが発生した場合でも、複数のキャスター４４が、前後、左右の走行を容易にさせ、使用者は、ホース２４を軽く引っ張るだけで、掃除機本体２０を障害物から離脱させることができ、廉価な構成で使い勝手を向上させることが可能となる。
また、本実施の形態では、図４に示すように、キャスター４４のキャスターローラー４５の端部５０が、車輪ベース本体４３の外周面５１の内側に配設されるように、キャスター４４が支軸４８に回転自在に嵌合軸支されている。  上記構成により、キャスターローラー４５の端部５０が、車輪ベース本体４３の外周面５１より露出することがないので、障害物への引掛り防止及びキャスター４４の傷つけ破損を防止することができる。
【００２７】
つまりは略筒状の車輪ベース本体４３から、露出が最小限度であるということであり、略筒状の車輪ベース本体４３の円弧状の傾斜面に沿って移動し障害物にぶつかったとしても引っ掛かることなく容易に使い勝手を向上させることができる。
【産業上の利用可能性】
【００２８】
以上のように、本発明に係る電気掃除機は、集塵タンクの底面に略筒状の車輪ベース本
体を配設し、この車輪ベース本体の下面に走行手段として複数の回転自在のキャスターを配設することより、電気掃除機を引き回す時の、家具などへの引っ掛りを抑制すると共に、掃除機本体、家具などを傷付けることなく掃除機本体を軽々引き回し出来る軽労働を可能にさせ、特に家庭、業務用等のドラム式の電気掃除機に有用である。
【符号の説明】
【００２９】
２０  掃除機本体
２１  本体ユニット
２２  集塵タンク
２３  吸気口
２４  ホース
２５  接続パイプ
２６  延長管
２７  吸込具
２８  集塵袋
２９  集塵容器
３０  クランプ
３１  本体ケース下
３２  本体ケース上
３３  ハンドル
３４  電動送風機収納室
３５  コードリール収納室
３５ａ  フィルター
３６  電動送風機
３７  吸込開口
３８  コードリール
３９  コード巻取り装置
４０  コードリールボタン
４１  電源コード
４２  コード巻取口
４３  車輪ベース本体
４４  キャスター
４５  キャスターローラー
４６  キャスターカバー
４７  爪部
４８  支軸
５０  端部
５１  外周面
【図１】
2020010791.tif 000003
【図２】
2020010791.tif 000004
【図３】
2020010791.tif 000005
【図４】
2020010791.tif 000006
【図５】
2020010791.tif 000007